【手続補正書】
【提出日】平成15年12月24日(2003.12.24)
【手続補正１】
【補正対象書類名】明細書
【補正対象項目名】発明の名称
【補正方法】変更
【補正の内容】
【発明の名称】撮像装置及び撮像方法


【手続補正２】
【補正対象書類名】明細書
【補正対象項目名】特許請求の範囲
【補正方法】変更
【補正の内容】
【特許請求の範囲】
【請求項１】
動画像信号を撮影して記録すると共に、前記動画像信号中の所望のカットを検索するためのインデックス情報を生成する撮像装置であって、
着脱可能な第１の記録媒体に対して前記インデックス情報及び識別ＩＤを記録する第１の記録手段と、
着脱可能な第２の記録媒体に対して前記動画像信号及び前記識別ＩＤを記録する第２の記録手段と、
前記第１の記録媒体に記録されている識別ＩＤを検出する第１の検出手段と、
前記第２の記録媒体に記録されている識別ＩＤを検出する第２の検出手段と、
前記第１の検出手段及び第２の検出手段にてそれぞれ正常な識別ＩＤが検出された場合、前記第１の記録媒体に記録された識別ＩＤと、前記第２の記録媒体に記録された識別ＩＤとを比較する比較手段と、
前記比較手段により前記第１の記録媒体及び第２の記録媒体にそれぞれ記録された識別ＩＤが一致していると判断した場合、新たに撮影された前記動画像信号のインデックス情報を前記第１の記録媒体に記録し、前記新たに撮像された動画像信号及び前記一致した識別ＩＤを前記第２の記録媒体に記録するよう前記第１の記録手段と第２の記録手段を制御するシステムコントローラとを備えることを特徴とする撮像装置。
【請求項２】
前記識別ＩＤは前記動画カットを撮影した日付及び時刻であることを特徴とする請求項１に記載の撮像装置。
【請求項３】
前記第１の記録媒体は不揮発性の半導体メモリにて構成され、前記第２の記録媒体はテープ状記録媒体にて構成されることを特徴とする請求項１または２に記載の撮像装置。
【請求項４】
前記第１の記録手段は、前記テープ状記録媒体をヘリカルスキャンすることにより斜めトラックを構成して前記動画像信号を記録すると共に、前記識別ＩＤを前記トラック毎に記録することを特徴とする請求項１に記載の撮像装置。
【請求項５】
前記第１の記録媒体に複数の前記第２の記録媒体に記録された動画像信号のインデックス情報を記録する場合、前記システムコントローラは前記第１の記録媒体及び第２の記録媒体に対して同一の識別ＩＤを記録するよう制御することを特徴とする請求項１に記載の撮像装置。
【請求項６】
前記第１の記録媒体に複数の前記第２の記録媒体に記録された動画像信号のインデックス情報を記録する場合、前記システムコントローラは、前記複数の第２の録媒体に対して互いに異なる識別ＩＤを記録すると共に、前記第１の記録媒体に対して前記複数の第１の記録媒体の識別ＩＤを全て記録するよう制御することを特徴とする請求項１に記載の撮像装置。
【請求項７】
前記インデックス情報は、前記動画像信号中の所定の１フレームの画像信号及び、前記動画像信号の記録開始位置情報により構成されることを特徴とする請求項１〜６のいずれか１項に記載の撮像装置。
【請求項８】
前記システムコントローラは、前記第１の記録媒体に正常な識別ＩＤが記録されていない場合、前記第１の記録媒体に対する前記新たに撮影した動画像信号のインデックス情報の記録を禁止し、更に、前記第２の記録媒体に対して前記新たに撮影された動画像信号を記録すると共に前記識別ＩＤの記録を禁止するよう制御することを特徴とする請求項１に記載の撮像装置。
【請求項９】
前記システムコントローラは、前記第２の記録媒体に正常な識別ＩＤが記録されておらず前記第１の記録媒体に正常な識別ＩＤが記録されている場合、前記新たに撮影された動画像信号のインデックス情報を前記第１の記録手段に記録すると共に、前記新たに撮影された動画像信号及び前記第２の記録媒体に記録されていた識別ＩＤを前記第２の記録媒体に記録するよう制御することを特徴とする請求項１に記載の撮像装置。
【請求項１０】
前記システムコントローラは、前記第１の記録媒体及び第２の記録媒体に正常な識別ＩＤが記録されていない場合、新たな識別ＩＤを生成すると共に、この新たな識別ＩＤ及び前記新たに撮影された動画像信号のインデックス情報を前記第１の記録媒体に記録し、前記新たに撮影された動画像信号及び前記新たな識別ＩＤを前記第２の記録媒体に記録するよう制御することを特徴とする請求項１に記載の撮像装置。
【請求項１１】
前記システムコントローラは、前記比較手段の比較結果により前記第１の記録媒体に記録された識別ＩＤと第２の記録媒体に記録された識別ＩＤとが一致しなかった場合、前記第１の記録媒体に対する前記新たに撮影した動画像信号のインデックス情報の記録を禁止し、更に、前記第２の記録媒体に対して前記新たに撮影された動画像信号を記録すると共に前記識別ＩＤの記録を禁止するよう制御することを特徴とする請求項１に記載の撮像装置。
【請求項１２】
前記システムコントローラは、前記比較手段により前記第１の記録媒体及び第２の記録媒体に記憶された識別ＩＤが一致していると判断した場合、前記第１の記録媒体に記録されているインデックス情報を読み出して提示すると共に、前記第１の記録媒体に記録されているインデックス情報に基づいて前記インデックス情報の中の指定されたインデックス情報に対応する前記動画カットを前記第２の記録媒体より検索することを特徴とする請求項１に記載の撮像装置。
【請求項１３】
前記システムコントローラは、前記比較手段により前記第１の記録媒体及び第２の記録媒体に記録された識別ＩＤが一致していないと判断した場合、前記第１の記録媒体に記録されているインデックス情報に基づいた前記動画カットの検索を禁止することを特徴とする請求項１２に記載の撮像装置。
【請求項１４】
動画像信号を撮影して記録すると共に、前記動画像信号中の所望のカットを検索するためのインデックス情報を生成する撮像装置であって、
着脱可能な第１の記録媒体に対して前記インデックス情報及び識別ＩＤを記録する第１の記録手段と、
着脱可能な第２の記録媒体に対して前記動画像信号及び前記識別ＩＤを記録する第２の記録手段と、
前記第１の記録媒体に記録されている識別ＩＤを検出する第１の検出手段と、
前記第２の記録媒体に記録されている識別ＩＤを検出する第２の検出手段と、
前記第１の検出手段及び第２の検出手段にてそれぞれ正常な識別ＩＤが検出された場合、前記第１の記録媒体に記録された識別ＩＤと、前記第２の記録媒体に記録された識別ＩＤとを比較する比較手段と、
前記比較手段により前記第１の記録媒体及び第２の記録媒体に記憶された識別ＩＤが一致していると判断した場合、前記第１の記録媒体に記録されているインデックス情報を読み出して提示すると共に、前記第１の記録媒体に記録されているインデックス情報に基づいて前記インデックス情報の中の指定されたインデックス情報に対応する前記動画カットを前記第２の記録媒体より検索するシステムコントローラとを備えることを特徴とする撮像装置。
【請求項１５】
動画像信号を撮影して記録すると共に、前記動画像信号中の所望のカットを検索するためのインデックス情報を生成するものであり、着脱可能な第１の記録媒体に対して前記インデックス情報及び識別ＩＤを記録する第１の記録手段と、着脱可能な第２の記録媒体に対して前記動画像信号及び前記識別ＩＤを記録する第２の記録手段とを有する撮像装置における撮像方法であって、
前記第１の記録媒体に記録されている識別ＩＤを検出する第１の検出ステップと、
前記第２の記録媒体に記録されている識別ＩＤを検出する第２の検出ステップと、
前記第１の検出ステップ及び第２の検出ステップにてそれぞれ正常な識別ＩＤが検出された場合、前記第１の記録媒体に記録された識別ＩＤと、前記第２の記録媒体に記録された識別ＩＤとを比較する比較ステップと、
前記比較ステップにより前記第１の記録媒体及び第２の記録媒体にそれぞれ記録された識別ＩＤが一致していると判断した場合、新たに撮影された前記動画像信号のインデックス情報を前記第１の記録媒体に記録し、前記新たに撮像された動画像信号及び前記一致した識別ＩＤを前記第２の記録媒体に記録するよう前記第１の記録手段と第２の記録手段を制御する制御ステップとを備えることを特徴とする撮像方法。
【請求項１６】
動画像信号を撮影して記録すると共に、前記動画像信号中の所望のカットを検索するためのインデックス情報を生成するものであり、着脱可能な第１の記録媒体に対して前記インデックス情報及び識別ＩＤを記録する第１の記録手段と、着脱可能な第２の記録媒体に対して前記動画像信号及び前記識別ＩＤを記録する第２の記録手段とを有する撮像装置における撮像方法であって、
前記第１の記録媒体に記録されている識別ＩＤを検出する第１の検出ステップと、
前記第２の記録媒体に記録されている識別ＩＤを検出する第２の検出ステップと、
前記第１の検出ステップ及び第２の検出ステップにてそれぞれ正常な識別ＩＤが検出された場合、前記第１の記録媒体に記録された識別ＩＤと、前記第２の記録媒体に記録された識別ＩＤとを比較する比較ステップと、
前記比較ステップにより前記第１の記録媒体及び第２の記録媒体に記憶された識別ＩＤが一致していると判断した場合、前記第１の記録媒体に記録されているインデックス情報を読み出して提示すると共に、前記第１の記録媒体に記録されているインデックス情報に基づいて前記インデックス情報の中の指定されたインデックス情報に対応する前記動画カットを前記第２の記録媒体より検索する検索ステップとを備えることを特徴とする撮像方法。
【手続補正３】
【補正対象書類名】明細書
【補正対象項目名】０００１
【補正方法】変更
【補正の内容】
【０００１】
【発明の属する技術分野】
本発明は、撮像装置及び撮像方法に係り、特に静止画像及び動画像をメモリやテープ等の記録媒体それぞれに対応付けて記録する撮像装置及び撮像方法に関する。


【手続補正４】
【補正対象書類名】明細書
【補正対象項目名】０００７
【補正方法】変更
【補正の内容】
【０００７】
本発明は、上記問題に鑑みてなされたものであり、テープ状記録媒体と半導体メモリとの対応が失われることなく、常に正しいインデックス検索が行われ得る撮像装置及び撮像方法を提供することを目的とするものである。
また、本発明は、テープ状記録媒体と半導体メモリとの対応の管理が容易な撮像装置及び撮像方法を提供することを目的とするものである。
さらに、本発明は、テープ状記録媒体と半導体メモリとの対応の確認を効率よく行い得る撮像装置及び撮像方法を提供することを目的とするものである。


【手続補正５】
【補正対象書類名】明細書
【補正対象項目名】０００８
【補正方法】変更
【補正の内容】
【０００８】
【課題を解決するための手段】
本発明の撮像装置は、動画像信号を撮影して記録すると共に、前記動画像信号中の所望のカットを検索するためのインデックス情報を生成する撮像装置であって、着脱可能な第１の記録媒体に対して前記インデックス情報及び識別ＩＤを記録する第１の記録手段と、着脱可能な第２の記録媒体に対して前記動画像信号及び前記識別ＩＤを記録する第２の記録手段と、前記第１の記録媒体に記録されている識別ＩＤを検出する第１の検出手段と、前記第２の記録媒体に記録されている識別ＩＤを検出する第２の検出手段と、前記第１の検出手段及び第２の検出手段にてそれぞれ正常な識別ＩＤが検出された場合、前記第１の記録媒体に記録された識別ＩＤと、前記第２の記録媒体に記録された識別ＩＤとを比較する比較手段と、前記比較手段により前記第１の記録媒体及び第２の記録媒体にそれぞれ記録された識別ＩＤが一致していると判断した場合、新たに撮影された前記動画像信号のインデックス情報を前記第１の記録媒体に記録し、前記新たに撮像された動画像信号及び前記一致した識別ＩＤを前記第２の記録媒体に記録するよう前記第１の記録手段と第２の記録手段を制御するシステムコントローラとを備える。


【手続補正６】
【補正対象書類名】明細書
【補正対象項目名】０００９
【補正方法】変更
【補正の内容】
【０００９】
本発明の撮像装置における他の態様は、前記識別ＩＤは前記動画カットを撮影した日付及び時刻である。


【手続補正７】
【補正対象書類名】明細書
【補正対象項目名】００１０
【補正方法】変更
【補正の内容】
【００１０】
また、本発明の撮像装置におけるその他の態様は、前記第１の記録媒体は不揮発性の半導体メモリにて構成され、前記第２の記録媒体はテープ状記録媒体にて構成される。


【手続補正８】
【補正対象書類名】明細書
【補正対象項目名】００１１
【補正方法】変更
【補正の内容】
【００１１】
また、本発明の撮像装置におけるその他の態様は、前記第１の記録手段は、前記テープ状記録媒体をヘリカルスキャンすることにより斜めトラックを構成して前記動画像信号を記録すると共に、前記識別ＩＤを前記トラック毎に記録する。


【手続補正９】
【補正対象書類名】明細書
【補正対象項目名】００１２
【補正方法】変更
【補正の内容】
【００１２】
また、本発明の撮像装置におけるその他の態様は、前記第１の記録媒体に複数の前記第２の記録媒体に記録された動画像信号のインデックス情報を記録する場合、前記システムコントローラは前記第１の記録媒体及び第２の記録媒体に対して同一の識別ＩＤを記録するよう制御する。


【手続補正１０】
【補正対象書類名】明細書
【補正対象項目名】００１３
【補正方法】変更
【補正の内容】
【００１３】
また、本発明の撮像装置におけるその他の態様は、前記第１の記録媒体に複数の前記第２の記録媒体に記録された動画像信号のインデックス情報を記録する場合、前記システムコントローラは、前記複数の第２の録媒体に対して互いに異なる識別ＩＤを記録すると共に、前記第１の記録媒体に対して前記複数の第１の記録媒体の識別ＩＤを全て記録するよう制御する。


【手続補正１１】
【補正対象書類名】明細書
【補正対象項目名】００１４
【補正方法】変更
【補正の内容】
【００１４】
また、本発明の撮像装置におけるその他の態様は、前記インデックス情報は、前記動画像信号中の所定の１フレームの画像信号及び、前記動画像信号の記録開始位置情報により構成される。


【手続補正１２】
【補正対象書類名】明細書
【補正対象項目名】００１５
【補正方法】変更
【補正の内容】
【００１５】
また、本発明の撮像装置におけるその他の態様は、前記システムコントローラは、前記第１の記録媒体に正常な識別ＩＤが記録されていない場合、前記第１の記録媒体に対する前記新たに撮影した動画像信号のインデックス情報の記録を禁止し、更に、前記第２の記録媒体に対して前記新たに撮影された動画像信号を記録すると共に前記識別ＩＤの記録を禁止するよう制御する。


【手続補正１３】
【補正対象書類名】明細書
【補正対象項目名】００１６
【補正方法】変更
【補正の内容】
【００１６】
また、本発明の撮像装置におけるその他の態様は、前記システムコントローラは、前記第２の記録媒体に正常な識別ＩＤが記録されておらず前記第１の記録媒体に正常な識別ＩＤが記録されている場合、前記新たに撮影された動画像信号のインデックス情報を前記第１の記録手段に記録すると共に、前記新たに撮影された動画像信号及び前記第２の記録媒体に記録されていた識別ＩＤを前記第２の記録媒体に記録するよう制御する。


【手続補正１４】
【補正対象書類名】明細書
【補正対象項目名】００１７
【補正方法】変更
【補正の内容】
【００１７】
また、本発明の撮像装置におけるその他の態様は、前記システムコントローラは、前記第１の記録媒体及び第２の記録媒体に正常な識別ＩＤが記録されていない場合、新たな識別ＩＤを生成すると共に、この新たな識別ＩＤ及び前記新たに撮影された動画像信号のインデックス情報を前記第１の記録媒体に記録し、前記新たに撮影された動画像信号及び前記新たな識別ＩＤを前記第２の記録媒体に記録するよう制御する。


【手続補正１５】
【補正対象書類名】明細書
【補正対象項目名】００１８
【補正方法】変更
【補正の内容】
【００１８】
また、本発明の撮像装置におけるその他の態様は、前記システムコントローラは、前記比較手段の比較結果により前記第１の記録媒体に記録された識別ＩＤと第２の記録媒体に記録された識別ＩＤとが一致しなかった場合、前記第１の記録媒体に対する前記新たに撮影した動画像信号のインデックス情報の記録を禁止し、更に、前記第２の記録媒体に対して前記新たに撮影された動画像信号を記録すると共に前記識別ＩＤの記録を禁止するよう制御する。


【手続補正１６】
【補正対象書類名】明細書
【補正対象項目名】００１９
【補正方法】変更
【補正の内容】
【００１９】
また、本発明の撮像装置におけるその他の態様は、前記システムコントローラは、前記比較手段により前記第１の記録媒体及び第２の記録媒体に記憶された識別ＩＤが一致していると判断した場合、前記第１の記録媒体に記録されているインデックス情報を読み出して提示すると共に、前記第１の記録媒体に記録されているインデックス情報に基づいて前記インデックス情報の中の指定されたインデックス情報に対応する前記動画カットを前記第２の記録媒体より検索する。


【手続補正１７】
【補正対象書類名】明細書
【補正対象項目名】００２０
【補正方法】変更
【補正の内容】
【００２０】
また、本発明の撮像装置におけるその他の態様は、前記システムコントローラは、前記比較手段により前記第１の記録媒体及び第２の記録媒体に記録された識別ＩＤが一致していないと判断した場合、前記第１の記録媒体に記録されているインデックス情報に基づいた前記動画カットの検索を禁止する。


【手続補正１８】
【補正対象書類名】明細書
【補正対象項目名】００２１
【補正方法】変更
【補正の内容】
【００２１】
また、本発明の撮像装置におけるその他の態様は、動画像信号を撮影して記録すると共に、前記動画像信号中の所望のカットを検索するためのインデックス情報を生成する撮像装置であって、着脱可能な第１の記録媒体に対して前記インデックス情報及び識別ＩＤを記録する第１の記録手段と、着脱可能な第２の記録媒体に対して前記動画像信号及び前記識別ＩＤを記録する第２の記録手段と、前記第１の記録媒体に記録されている識別ＩＤを検出する第１の検出手段と、前記第２の記録媒体に記録されている識別ＩＤを検出する第２の検出手段と、前記第１の検出手段及び第２の検出手段にてそれぞれ正常な識別ＩＤが検出された場合、前記第１の記録媒体に記録された識別ＩＤと、前記第２の記録媒体に記録された識別ＩＤとを比較する比較手段と、前記比較手段により前記第１の記録媒体及び第２の記録媒体に記憶された識別ＩＤが一致していると判断した場合、前記第１の記録媒体に記録されているインデックス情報を読み出して提示すると共に、前記第１の記録媒体に記録されているインデックス情報に基づいて前記インデックス情報の中の指定されたインデックス情報に対応する前記動画カットを前記第２の記録媒体より検索するシステムコントローラとを備える。


【手続補正１９】
【補正対象書類名】明細書
【補正対象項目名】００２２
【補正方法】変更
【補正の内容】
【００２２】
本発明の撮像方法は、動画像信号を撮影して記録すると共に、前記動画像信号中の所望のカットを検索するためのインデックス情報を生成するものであり、着脱可能な第１の記録媒体に対して前記インデックス情報及び識別ＩＤを記録する第１の記録手段と、着脱可能な第２の記録媒体に対して前記動画像信号及び前記識別ＩＤを記録する第２の記録手段とを有する撮像装置における撮像方法であって、前記第１の記録媒体に記録されている識別ＩＤを検出する第１の検出ステップと、前記第２の記録媒体に記録されている識別ＩＤを検出する第２の検出ステップと、前記第１の検出ステップ及び第２の検出ステップにてそれぞれ正常な識別ＩＤが検出された場合、前記第１の記録媒体に記録された識別ＩＤと、前記第２の記録媒体に記録された識別ＩＤとを比較する比較ステップと、前記比較ステップにより前記第１の記録媒体及び第２の記録媒体にそれぞれ記録された識別ＩＤが一致していると判断した場合、新たに撮影された前記動画像信号のインデックス情報を前記第１の記録媒体に記録し、前記新たに撮像された動画像信号及び前記一致した識別ＩＤを前記第２の記録媒体に記録するよう前記第１の記録手段と第２の記録手段を制御する制御ステップとを備える。


【手続補正２０】
【補正対象書類名】明細書
【補正対象項目名】００２３
【補正方法】変更
【補正の内容】
【００２３】
本発明の撮像方法における他の態様は、動画像信号を撮影して記録すると共に、前記動画像信号中の所望のカットを検索するためのインデックス情報を生成するものであり、着脱可能な第１の記録媒体に対して前記インデックス情報及び識別ＩＤを記録する第１の記録手段と、着脱可能な第２の記録媒体に対して前記動画像信号及び前記識別ＩＤを記録する第２の記録手段とを有する撮像装置における撮像方法であって、前記第１の記録媒体に記録されている識別ＩＤを検出する第１の検出ステップと、前記第２の記録媒体に記録されている識別ＩＤを検出する第２の検出ステップと、前記第１の検出ステップ及び第２の検出ステップにてそれぞれ正常な識別ＩＤが検出された場合、前記第１の記録媒体に記録された識別ＩＤと、前記第２の記録媒体に記録された識別ＩＤとを比較する比較ステップと、前記比較ステップにより前記第１の記録媒体及び第２の記録媒体に記憶された識別ＩＤが一致していると判断した場合、前記第１の記録媒体に記録されているインデックス情報を読み出して提示すると共に、前記第１の記録媒体に記録されているインデックス情報に基づいて前記インデックス情報の中の指定されたインデックス情報に対応する前記動画カットを前記第２の記録媒体より検索する検索ステップとを備える。


【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】